(57)【要約】  移動可能な２つのパネルを含むデバイスに様々な動作命令を入力する方法及び装置を提供する。上記方法は、第１のパネルと第２のパネル間の相対的な角度が有効角度範囲内であるか否かを判定するステップと、上記有効角度範囲内の上記相対的な角度が有効時間の間に保持されるか否かを判定するステップと、上記第１のパネルと上記第２のパネル間の相対的な角度が上記有効角度範囲内であるか否か及び上記有効角度範囲内の上記相対的な角度が上記有効時間の間に保持されるか否かに基づいて動作命令を上記デバイスに入力するステップとを含む。
2014505315.tif 000002
【特許請求の範囲】
【請求項１】
第１のパネル及び第２のパネルを含むデバイスに動作命令を入力する方法であって、
前記第１のパネルと第２のパネル間の相対的な角度が有効角度範囲内であるか否かを判定するステップと、
前記有効角度範囲内の前記相対的な角度が有効時間の間に保持されるか否かを判定するステップと、
前記第１のパネルと第２のパネル間の相対的な角度が有効角度範囲内であるか否か及び前記有効角度範囲内の前記相対的な角度が前記有効時間の間に保持されるか否かに基づいて動作命令を前記デバイスに入力するステップと
を具備することを特徴とする方法。
【請求項２】
前記相対的な角度が前記有効角度範囲に入った後に、前記第１のパネルと前記第２のパネル間の相対的な角度が少なくとも前記有効時間と同一の時間の間に保持される時にフォールディングホールド命令が入力されることを特徴とする請求項１に記載の方法。
【請求項３】
前記第１のパネルと前記第２のパネル間の相対的な角度が前記有効角度範囲に入った後に、前記第１のパネル又は前記第２のパネルが前記有効時間内に前記有効角度範囲から離脱する進入方向と反対の方向に移動される場合にフォールディングバック命令が入力されることを特徴とする請求項１に記載の方法。
【請求項４】
前記デバイスに含まれた入力部を通して前記有効時間内に追加の入力の存在に従って異なる機能を実行するように前記動作命令が細分化されることを特徴とする請求項１に記載の方法。
【請求項５】
前記追加の入力は、前記デバイスに含まれたタッチスクリーンのタッチ又は機能ボタンを通して実行されることを特徴とする請求項４に記載の方法。
【請求項６】
前記第１のパネルが前記有効角度範囲内に入るように移動されるか否か、前記第２のパネルが前記有効角度範囲内に入るように移動されるか否か、及び前記第１のパネル及び前記第２のパネルが前記有効角度範囲内に入るように移動されるか否かに従って、前記動作命令が異なる機能を実行するように前記動作命令が細分化されることを特徴とする請求項４に記載の方法。
【請求項７】
前記フォールディングホールド命令は、連続した動作が実行される命令に対応し、
前記連続した動作は、前記第１のパネルと前記第２のパネル間の相対的な角度が前記有効時間の後に前記有効角度範囲から離脱することを特徴とする請求項２に記載の方法。
【請求項８】
前記第１のパネルが前記有効角度範囲内に進入するように移動されるか否か、前記第２のパネルが前記有効角度範囲内に入るように移動されるか否か、及び前記第１のパネル及び前記第２のパネルが前記有効角度範囲内に入るように移動されるか否かに従って、前記動作命令が異なる機能を実行するように前記動作命令が細分化されることを特徴とする請求項１に記載の方法。
【請求項９】
前記有効角度範囲は、複数の異なる角度範囲を含み、前記動作命令は、前記複数の異なる角度範囲のそれぞれに従って異なる機能を実行することを特徴とする請求項１に記載の方法。
【請求項１０】
動作命令を入力する装置であって、
第１のパネルと、
前記第１のパネルに相対的な移動が可能であるように接続された第２のパネルと、
前記第１のパネルと前記第２のパネル間の相対的な角度を感知する角度センサーと、
前記第１のパネルと前記第２のパネル間の相対的な角度が有効角度範囲内にあるか否か、及び前記相対的な角度が有効時間の間に前記有効角度範囲内に保持されるか否かに基づいて前記動作命令の入力を判定する制御部と
を有することを特徴とする装置。
【請求項１１】
前記制御部は、前記第１のパネルと第２のパネル間の相対的な角度が前記有効角度範囲内に入った後に、前記有効角度範囲が前記有効時間の間に保持される時にフォールディングホールド命令が入力されるものと判定することを特徴とする請求項１０に記載の装置。
【請求項１２】
前記制御部は、前記第１のパネルと第２のパネル間の相対的な角度が前記有効角度範囲内に入った後に、前記有効時間内に前記有効角度範囲への進入方向と反対の方向に前記有効角度範囲から離脱する場合にフォールディングバック命令が入力されるものと判定することを特徴とする請求項１０に記載の装置。
【請求項１３】
前記装置は、
入力部をさらに有し、
前記制御部は、前記動作命令を細分化し、前記有効時間内に前記入力部を通した追加の入力の存在に従って異なる機能を実行することを特徴とする請求項１０に記載の装置。
【請求項１４】
前記装置は、
前記第１のパネル及び前記第２のパネルの移動を感知する動きセンサーをさらに有し、
前記制御部は、前記第１のパネルの移動が感知されるか否か、前記第２のパネルの移動が感知されるか否か、及び前記第１のパネル及び前記第２のパネルの移動が前記動きセンサーを通して感知されるか否かに従って前記動作命令が異なる機能を実行するように前記動作命令を細分化することを特徴とする請求項１３に記載の装置。
【請求項１５】
前記装置は、
前記第１のパネル及び前記第２のパネルの移動を感知する動きセンサーをさらに有し、
前記制御部は、前記第１のパネルの移動が感知されるか否か、前記第２のパネルの移動が感知されるか否か、及び前記第１のパネル及び前記第２のパネルの移動が前記動きセンサーを通して感知されるか否かに従って前記動作命令が異なる機能を実行するように前記動作命令を細分化することを特徴とする請求項１０に記載の装置。
【発明の詳細な説明】
【技術分野】
【０００１】
本発明は、相対的に移動が可能な少なくとも２つのパネルを含むデバイスにユーザー命令を入力する方法及び装置に関する。より詳細には、有効角度範囲に入る少なくとも２つのパネルの相対的な角度、有効角度範囲内での相対的な角度の保持時間、及び相対的な角度が有効角度範囲を離脱したか否か、に基づいてユーザーの様々な命令を入力する方法及び装置に関する。
【背景技術】
【０００２】
ノートブック、電子ブック、及び折り畳み可能な携帯型端末機などのような２つのパネルを備えるデバイスにおいて、２つのパネル間の相対的な角度は、デバイスのヒンジを用いて感知された後に、ユーザーインターフェースがこの感知された相対的な角度に基づいて提供する。
【０００３】
例えば、特許文献１は、ユーザーが電子ブックにおける前のページ又は次のページの機能ボタン又はメニューを実行せず、２つのパネル間の相対的な角度を変動させた時に、変動された相対的な角度に従ってページが移動する電子ブックについて開示されている。また、特許文献２は、ヒンジを用いて接続されたパネル間の相対的な角度を認識した後に、この認識された相対的な角度で最も頻繁に実行されるアプリケーションを提供する携帯端末機について開示されている。
【０００４】
しかしながら、従来の技術において、提供されたユーザーインターフェースは、２つのパネル間の設定された相対的な角度に従って１つの機能を実行するための方式であり、簡素なインターフェースの提供だけが可能である。
【先行技術文献】
【特許文献】
【０００５】
【特許文献１】特開第２０００８−３３６８６号公報
【特許文献２】米国特許出願公開第２０１０／０１８２２６５号明細書
【発明の概要】
【発明が解決しようとする課題】
【０００６】
本発明の目的は、少なくとも上述した問題点及び／又は不都合に取り組み、少なくとも以下の便宜を提供することにある。すなわち、本発明の目的は、２つのパネルを備えるデバイスを使用するユーザーがデバイスでの様々なアプリケーション又は機能をより便利にかつ様々に提供することができるようにするユーザーインターフェースを提供する装置及び方法を提供することにある。
【０００７】
本発明の他の目的は、２つのパネル間の予め定められた有効角度範囲、有効角度範囲内の保持時間、ユーザーの追加入力の存在、及び有効角度範囲からの有効角度の離脱のような様々な条件の組合せを用いて様々な命令入力を可能にする装置及び方法を提供することにある。
【課題を解決するための手段】
【０００８】
上記のような目的を達成するために、本発明の実施形態の一態様によれば、第１のパネル及び第２のパネルを含むデバイスに動作命令を入力する方法が提供される。上記方法は、上記第１のパネルと第２のパネル間の相対的な角度が有効角度範囲内であるか否かを判定するステップと、上記有効角度範囲内の上記相対的な角度が有効時間の間に保持されるか否かを判定するステップと、上記第１のパネルと第２のパネル間の相対的な角度が有効角度範囲内であるか否か及び上記有効角度範囲内の上記相対的な角度が上記有効時間の間に保持されるか否かに基づいて動作命令を上記デバイスに入力するステップとを具備することを特徴とする。
【０００９】
本発明の実施形態の他の態様によれば、第１のパネル及び第２のパネルを含むデバイスにフォールディングバック命令を入力する方法を提供する。上記方法は、上記第１のパネルと第２のパネル間の相対的な角度が有効角度範囲内に入るか否かを判定するステップと、上記第１のパネルと上記第２のパネル間の相対的な角度が上記有効角度範囲内に入った後に、所定の時間内に上記有効角度範囲への進入方向と反対の方向に上記有効角度範囲から離脱するか否かを判定するステップと、上記所定の時間内に上記有効角度範囲への進入方向と反対の方向に上記有効角度範囲から離脱する上記第１のパネルと上記第２のパネル間の相対的な角度に基づいて上記フォールディングバック命令を入力するステップとを有することを特徴とする。 
【００１０】
本発明の実施形態のさらに他の態様によれば、第１のパネル及び第２のパネルを含むデバイスにフォールディングバック命令を入力する方法が提供される。上記方法は、上記第１のパネル及び上記第２のパネルのうちの少なくとも１つが第１の方向に移動されることにより上記第１のパネルと上記第２のパネル間の相対的な角度が変更されることを判定するステップと、上記第１のパネル及び上記第２のパネルのうちの１つ以上のパネルが上記第１の方向と反対である上記第２の方向に移動されることにより上記２つのパネル間の相対的な角度が上記第２の方向に変更されることを判定するステップと、上記第１の方向に移動された後に上記第２の方向に移動される上記第１のパネル及び上記第２のパネルのうちの少なくとも１つに基づいて上記フォールディングバック命令を入力するステップとを具備することを特徴とする。
【００１１】
本発明の実施形態のさらなる他の態様によれば、動作命令を入力する装置が提供される。上記装置は、第１のパネルと、上記第１のパネルに相対的な移動が可能であるように接続された第２のパネルと、上記第１のパネルと上記第２のパネル間の相対的な角度を感知する角度センサーと、上記第１のパネルと上記第２のパネル間の相対的な角度が有効角度範囲内にあるか否か、及び上記相対的な角度が有効時間の間に上記有効角度範囲内に保持されるか否かに基づいて上記動作命令の入力を判定する制御部とを有することを特徴とする。
【００１２】
本発明の実施形態のさらに他の１つの態様によれば、動作命令を入力する装置が提供される。上記装置は、第１のパネルと、上記第１のパネルに相対的な移動が可能であるように接続された第２のパネルと、上記第１のパネルと上記第２のパネル間の相対的な角度を感知する角度センサーと、上記第１のパネルと上記第２のパネル間の相対的な角度の変更を感知することにより上記動作命令の入力を判定する制御部とを有する。上記制御部は、上記第１のパネルと第２のパネル間の相対的な角度が上記有効角度範囲内に入った後に、所定の時間内に上記有効角度範囲への進入方向と反対の方向に上記有効角度範囲から離脱する場合にフォールディングバック命令が入力されるものと判定する。
【００１３】
本発明の実施形態のさらにその他の態様によれば、動作命令を入力する装置が提供される。上記装置は、第１のパネルと、上記第１のパネルに相対的な移動が可能であるように接続された第２のパネルと、上記第１のパネルと上記第２のパネル間の相対的な角度を感知する角度センサーと、上記第１のパネルと上記第２のパネル間の相対的な角度の変更を感知することにより上記動作命令の入力を判定する制御部とを有する。上記制御部は、上記第１のパネルと第２のパネル間の相対的な角度が第１の方向に変更され、上記相対的な角度が所定の時間内に定の上記第１の方向と反対である第２の方向に変更される場合にフォールディングバック命令が入力されるものと判定する。
【発明の効果】
【００１４】
２つのパネルを備えるデバイスにおいて、２つのパネルの相対的な角度に対する操作又はスクリーンのタッチ又は移動されるパネルのタイプに従って様々な命令の入力が可能となるインターフェース装置及び方法が提供されるのでユーザーがより便利にデバイスを制御することができる。
【００１５】
本発明の他の目的、利点、及び顕著な特徴は、添付の図面及び本発明の実施形態からなされた以下の詳細な説明から、この分野の当業者に明確になるはずである。
【図面の簡単な説明】
【００１６】
【図１】本発明の実施形態による第１のパネル及び第２のパネルを含むデバイスを示す図である。
【図２Ａ】本発明の実施形態によるデバイスの第１のパネル及び第２のパネルの様々な相対的な角度状態を示す図である。
【図２Ｂ】本発明の実施形態によるデバイスの第１のパネル及び第２のパネルの様々な相対的な角度状態を示す図である。
【図２Ｃ】本発明の実施形態によるデバイスの第１のパネル及び第２のパネルの様々な相対的な角度状態を示す図である。
【図２Ｄ】本発明の実施形態によるデバイスの第１のパネル及び第２のパネルの様々な相対的な角度状態を示す図である。
【図３】本発明の実施形態によるフォールディングバック命令を入力する方法を示す図である。
【図４】本発明の実施形態によるフォールディングホールド命令を入力する方法を示す図である。
【図５Ａ】本発明の実施形態による移動パネルのタイプに従って入力される命令を細分化する方法を示す図である。
【図５Ｂ】本発明の実施形態による移動パネルのタイプに従って入力される命令を細分化する方法を示す図である。
【図５Ｃ】本発明の実施形態による移動パネルのタイプに従って入力される命令を細分化する方法を示す図である。
【図６】本発明の実施形態による複数の範囲として設定可能な有効角度範囲を示す図である。
【図７】本発明の実施形態による第１のパネル及び第２のパネルを含むデバイスの構成を示すブロック図である。
【図８】本発明の実施形態による命令を入力する方法を示すフローチャートである。
【図９Ａ】本発明の実施形態による入力部を通して命令が入力されるか否かに基づいて入力される命令を細分化する方法を示すフローチャートである。
【図９Ｂ】本発明の実施形態による入力部を通して命令が入力されるか否かに基づいて入力される命令を細分化する方法を示すフローチャートである。
【図１０】本発明の実施形態による移動パネルのタイプに従って入力される命令を細分化する方法を示すフローチャートである。
【図１１】本発明の実施形態に従って入力される各命令にマッピングする機能を示す図である。
【図１２Ａ】本発明の実施形態に従って移動パネルのタイプに基づくフォールディングバック単独命令の動作例を示す図である。
【図１２Ｂ】本発明の実施形態に従って移動パネルのタイプに基づくフォールディングバック単独命令の動作例を示す図である。
【図１２Ｃ】本発明の実施形態に従って移動パネルのタイプに基づくフォールディングバック単独命令の動作例を示す図である。
【図１３Ａ】本発明の実施形態に従って移動パネルのタイプに基づくフォールディングバック組合せ命令の動作例を示す図である。
【図１３Ｂ】本発明の実施形態に従って移動パネルのタイプに基づくフォールディングバック組合せ命令の動作例を示す図である。
【図１３Ｃ】本発明の実施形態に従って移動パネルのタイプに基づくフォールディングバック組合せ命令の動作例を示す図である。
【図１４Ａ】本発明の実施形態に従って移動パネルのタイプに基づくフォールディングホールド単独命令の動作例を示す図である。
【図１４Ｂ】本発明の実施形態に従って移動パネルのタイプに基づくフォールディングホールド単独命令の動作例を示す図である。
【図１４Ｃ】本発明の実施形態に従って移動パネルのタイプに基づくフォールディングホールド単独命令の動作例を示す図である。
【図１５Ａ】本発明の実施形態に従って移動パネルのタイプに基づくフォールディングホールド組合せ命令の動作例を示す図である。
【図１５Ｂ】本発明の実施形態に従って移動パネルのタイプに基づくフォールディングホールド組合せ命令の動作例を示す図である。
【図１５Ｃ】本発明の実施形態に従って移動パネルのタイプに基づくフォールディングホールド組合せ命令の動作例を示す図である。
【図１６】本発明の実施形態に従って入力される命令にマッピングする機能を示す図である。
【発明を実施するための形態】
【００１７】
本発明の様々な実施形態を、添付の図面を参照して詳細に説明する。下記の説明は、特許請求の範囲の記載及びこれと均等なものの範囲内で定められるような本発明の実施形態の包括的な理解を助けるために提供するものであり、この理解を助けるために様々な特定の詳細を含むが、これは一つの実施形態にすぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１８】
さらに、下記の説明において、図面における同様な構成要素に対しては、他の図面においても、同様な参照番号及び符号を付けてある。
【００１９】
図１は、本発明の実施形態による第１のパネル２及び第２のパネル４を含むデバイスを示す図である。
【００２０】
図１を参照すると、デバイス１は、第１のパネル２及び第２のパネル４を含む。第１のパネル２及び第２のパネル４は、ヒンジ６によりそれぞれ接続されることにより相対的に移動可能であるように構成される。例えば、このデバイスは、携帯電話、ノートブック、タブレットパーソナルコンピュータ（ＰＣ）、及びポータブルメディアプレーヤー（ＰＭＰ）であってもよい。
【００２１】
第１のパネル２は、第１のスクリーン１２及び機能ボタン５を含む。第２のパネル４は、第２のスクリーン１４及び機能ボタン５’を含む。
【００２２】
図１が第１のパネル２及び第２のパネル４でそれぞれ形成された第１のスクリーン１２及び第２のスクリーン１４を示すが、本発明は、２つのパネルのうちの１つのパネルのみでスクリーンが形成されるデバイスにも適用可能である。
【００２３】
また、ユーザー命令がスクリーン、例えば、タッチスクリーンを用いて直接に入力されることができる場合に、機能ボタン５及び５’は省略され得る。
【００２４】
付加的に、本発明では、第１のパネル２と第２のパネル４とを接続する例としてヒンジ６を説明したが、ヒンジ６を、第１のパネル２及び第２のパネル４の相対的な移動を可能にする他の構成要素と置き換えることができる。
【００２５】
図２Ａ乃至図２Ｄは、本発明の実施形態によるデバイスの第１のパネル２及び第２のパネル４の様々な相対的な角度の状態を示す図である。特に、図２Ａ乃至図２Ｄは、図１に示したデバイス１の第１のパネル２及び第２のパネル４の様々な相対的な角度状態を示す。
【００２６】
相対的な角度θは、第１のパネル２に対して反時計方向に回転した第２のパネル４の回転角度を意味する。
【００２７】
図２Ａ、すなわち、折り畳まれたデバイス１を示す斜視図を参照すると、第１のパネル２と第２のパネル４の２つのスクリーン１２及び１４の各々が外側に向けた状態で第１のパネル２と第２のパネル４とが相互に当接されている。図２Ａにおいて、相対的な角度θは０°である。
【００２８】
図２Ｂを参照すると、第１のパネル２に対する第２のパネル４の相対的な角度θが６０°である状態を示し、２つのスクリーン１２及び１４は、外側に向けて配置される。例えば、このような方向づけは、２人が互いに向き合ってゲームをするのに有用であり得る。
【００２９】
図２Ｃを参照すると、第１のパネル２及び第２のパネル４は平行に配置され、相対的な角度θは１８０°である。
【００３０】
図２Ｄを参照すると、第１のパネル２に対する第２のパネル４の相対的な角度θが２１５°である状態を示し、２つのスクリーン１２及び１４は、内側に向けて若干折り畳まれている。
【００３１】
図３は、本発明の実施形態によるフォールディングバック命令を入力する方法を示す図である。
【００３２】
図３を参照すると、フォールディングバック命令は、２つのパネルが有効角度範囲内で折り畳まれた後に有効時間内にさらに広げられる際に、２つのパネルを含むデバイスで予め定められた機能が実行されるようにする方法を意味する。
【００３３】
具体的には、図３（ａ）は、フォールディングバック命令が入力される前のデバイス１を示す。図３（ａ）は相対的な角度θが１８０°である状態を示すが、他の相対的な角度も使用されることができる。
【００３４】
図３（ａ）において、ユーザーがフォールディングバック命令の入力を希望する場合に、図３（ｂ）に示すように、第２のパネル４は、有効角度範囲［Δα＝相対的な角度θが２００°乃至２１０°の範囲内である］内の任意の相対的な角度（例えば、２０５°）を有するように移動される。その後、図３（ｃ）に示すように、第２のパネル４は、有効時間（例えば、１秒）内に有効角度範囲への進入方向と反対の方向に移動され、これにより、第２のパネル４が有効角度範囲から外れるようにする。このような一連の過程を通して、本発明によるインターフェース方法のうちのフォールディングバック命令がデバイス１に入力され、デバイス１は、フォールディングバック命令による機能を実行する。
【００３５】
このとき、フォールディングバック命令は、第２のパネルが有効時間（例えば、１秒）内に有効角度範囲への進入方向と反対の方向に移動される間に、２つのパネル間の相対的な角度が有効角度範囲から外れさえすれば入力される。 
【００３６】
図３（ｃ）は図３（ａ）に示した第２のパネル４が元来の位置、すなわち相対的な角度θが１８０°である状態を示すが、これは、第２のパネル４が元来の位置に戻される必要がない。すなわち、相対的な角度θが２００°より小さい任意の値になるように第２のパネル４が移動すると、フォールディングバック命令が入力される。
【００３７】
また、図３では、有効角度範囲への進入方向と反対の方向に移動させる第２のパネル４について説明したが、第２のパネル４の代わりに、第１のパネル２が図３（ｂ）に示す構造から下方に移動されることにより第１のパネル２と第２のパネル４との間の相対的な角度が２００°より小さい任意の値を有するようにする場合に、フォールディングバック命令を入力することができる。すなわち、第１のパネル２及び第２のパネル４の任意のパネルが移動される間に、本発明に従うフォールディングバック命令が入力されることにより、第１のパネル２と第２のパネル４の相対的な角度が有効角度範囲に入った後に、有効角度範囲への進入方向と反対の方向に有効角度範囲から外れる。
【００３８】
ここで、有効角度範囲は、製造者により予め定められるか又はユーザーにより設定される２つのパネル間の任意の相対的な角度範囲を意味する。したがって、上述した本発明の実施形態は、相対的な角度θが２００°と２１０°との間で設定された有効角度範囲の１０°の角度範囲に限定されず、有効角度範囲は、様々な範囲に設定されることができる。
【００３９】
また、有効時間は、フォールディングバック命令を認識するために、例えば、製造者により予め定められた任意の時間間隔を意味し、２つのパネル間の相対的な角度が有効角度範囲内に入った時点から計算される。
【００４０】
本発明の実施形態に従って、有効時間は、ユーザーが２つのパネルを折り畳んだ後に２つのパネルを有効角度範囲内で広げるのに要する時間に対応する。例えば、有効時間は、１秒に設定され得るが、異なる値に設定されてもよい。
【００４１】
本発明の他の実施形態に従って、フォールディングバック命令は、有効角度範囲の概念なしに入力されることもある。すなわち、１つの方向に２つのパネルのうちの１つ以上のパネルの移動を通して２つのパネル間の相対的な角度を変化させた後に、１つの方向とは反対の方向に２つのパネルのうちの１つ以上のパネルの移動を通して２つのパネル間の相対的な角度を変化させる場合に、本発明によるフォールディングバック命令が入力されるように構成することも可能である。
【００４２】
付加的に、フォールディングバック命令は、ユーザーによる追加の入力に基づいて細分化することができる。
【００４３】
具体的に、図３（ｂ’）を参照すると、ユーザーが有効角度範囲内Δαで第２のパネル４を移動させた後に、ユーザーがスクリーンをタッチするか又は機能ボタン５又は５’を押すもののような追加の入力を行い、第２のパネル４を有効角度範囲への進入方向と反対の方向に移動させる場合に、デバイス１は、上述したフォールディングバック命令とは異なる機能を実行するフォールディングバック命令を認識する。すなわち、２つのパネルが折り畳まれた後に２つのパネルが広げられることを通して入力されるフォールディングバック命令は、有効時間内にユーザーによる追加の入力がないフォールディングバック単独命令（図３（ａ）→図３（ｂ）→図３（ｃ））と、有効時間内にユーザーによる追加の入力（例えば、タッチスクリーンのタッチ又は機能ボタンの押し）があるフォールディングバック組合せ命令（図３（ａ）→図３（ｂ’）→図３（ｃ））とに区分される。したがって、フォールディングバック単独命令及びフォールディングバック組合せ命令に対して異なる機能を実行するように設定することにより細分化したフォールディングバック命令の入力が可能である。
【００４４】
図４は、本発明の実施形態によるフォールディングホールド命令（folding hold instruction）を入力する方法を示す図である。具体的に、フォールディングホールド命令は、２つのパネルが有効角度範囲内で折り畳まれた後に、有効時間の間に折り畳まれた２つのパネルの保持を介してデバイスで予め定められた機能が実行されるようにする。例えば、フォールディングホールド命令は、連続した動作を実行する機能、例えば、ズームイン／アウト（Zoom In/Out）機能、速い再生機能、及び巻き戻し機能を実行するように設定されることができる。
【００４５】
図４（ａ）を参照すると、フォールディングホールド命令が入力される前に、相対的な角度θが１８０°である状態を示すが、相対的な角度は、いずれの角度であってもよい。図４（ａ）は相対的な角度θで始まっている方法が１８０°であることを示すが、他の相対的な角度が使用されてもよい。
【００４６】
図４（ａ）において、ユーザーがフォールディングホールド命令の実行を希望する場合に、ユーザーは、図４（ｂ）に示すように、第２のパネル４が有効角度範囲［Δα＝相対的な角度θが２００°乃至２１０°の範囲内である］内の任意の相対的な角度（例えば、２０５°）を有するように移動させる。また、図４（ｃ）に示すように、有効時間の間に有効角度範囲が保持される場合に、デバイス１は、フォールディングホールド命令に従う機能を実行する。
【００４７】
上述したように、有効角度範囲及び有効時間は、製造者により予め定められるか又はユーザーにより設定されてもよい。
【００４８】
また、フォールディングホールド命令は、フォールディングバック命令と同様にユーザーによる追加の入力の存在に従って細分化されることができる。
【００４９】
具体的に、図４（ｂ’）に示すように、ユーザーが有効角度範囲内Δαで第２のパネル４を移動させた後に、有効時間の間に有効角度範囲を保持しつつ、スクリーンをタッチするか又は機能ボタン５又は５’を押すもののような追加の入力を行う場合に、上述したフォールディングホールド命令とは異なる機能を実行するフォールディングホールド命令が入力されることができる。すなわち、２つのパネルが有効角度範囲内で有効時間の間に保持されるフォールディングホールド命令は、有効時間内にユーザーによる追加の入力がないフォールディングホールド単独命令（図４（ａ）→図４（ｂ）→図４（ｃ））と、有効時間内にユーザーによる追加の入力があるフォールディングホールド組合せ命令（図４（ａ）→図４（ｂ’）→図４（ｃ））とに細分化される。この細分化されたフォールディングホールド命令は、フォールディングホールド単独命令及びフォールディングホールド組合せ命令が異なる機能を実行するように設定することにより、細分化されたフォールディングホールド命令を入力することができる。
【００５０】
一方、フォールディングホールド命令（フォールディングホールド単独命令及びフォールディングホールド組合せ命令のすべてを含む）が実行される場合に、図４（ｄ）に示すように、デバイスは、相対的な角度が第２のパネル４の移動により有効角度範囲から外れると、実行されている機能が停止されるように構成することができる。ここで、２つのパネル間の相対的な角度から外れることは、相対的な角度がどの方向でも有効角度範囲から外れされすれば、有効角度範囲への進入方向に関係なしに実行されている機能が停止される。
【００５１】
図５Ａ乃至図５Ｃは、本発明の実施形態に従ってパネルの移動に従って入力命令を細分化する方法を示す図である。具体的に、図５Ａは、移動される第１のパネル２を示し、図５Ｂは、移動される第２のパネル４を示し、図５Ｃは、移動される第１のパネル２及び第２のパネル４のすべてを示す。
【００５２】
図５Ａを参照すると、最初に２つのパネル２と４との間の相対的な角度θが１８０°である場合に、第１のパネル２は、相対的な角度θが有効角度範囲２１０°に入るように第１のパネル２が時計方向に３０°移動することにより、第１のパネル２と第２のパネル４との間の相対的な角度θが２１０°となる。
【００５３】
また、図５Ｂに示すように、第２のパネル４が反時計方向に３０°移動することにより第１のパネル２と第２のパネル４との相対的な角度θが２１０°となる。
【００５４】
図５Ｃに示すように、第１のパネル２及び第２のパネル４がそれぞれ時計方向及び反時計方向に１５°ずつ移動することにより、第１のパネル２と第２のパネル４との間の相対的な角度θが２１０°となり得る。ここで、第１のパネル２及び第２のパネル４の変更された角度は同一の必要はない。すなわち、第１のパネル２は、時計方向に１０°だけ移動し、第２のパネル４は、反時計方向に２０°だけ移動することができる。また、第１のパネル２は、反時計方向に−１０°だけ移動し、第２のパネル４は、時計方向に４０°だけ移動することができる。
【００５５】
上述したように、２つのパネル間の相対的な角度が有効角度範囲内に入るようにするために移動されたパネルのタイプは、少なくとも３つの異なる形態に細分化することができ、それぞれのタイプに従って異なる機能を実行する３つの異なる命令を入力することができる。
【００５６】
図６は、本発明の実施形態に従って複数の範囲として設定することができる有効角度範囲を示す図である。
【００５７】
図６を参照すると、有効角度範囲は、複数の有効角度範囲を有するように設定され得る。例えば、相対的な角度θの有効角度範囲は、２２０°乃至２４０°（Δα２）の範囲に設定され得る。
【００５８】
具体的には、有効角度範囲は、複数の有効角度範囲（±Δα１，±Δα２．．．）を有するように設定され、有効角度範囲ごとに異なる機能が実行され得る。図６が１０°に設定される有効角度範囲のそれぞれを示し、これらの範囲のそれぞれには、異なる値を設定してもよい。複数の有効角度範囲の設定は、ユーザーが複数の有効角度範囲を直接に設定できるように製造者により特定されて提供されることもあり、あるいは、ユーザーにより提供されることもある。
【００５９】
一方、有効角度範囲を設定するにあたり、図２に示すように、デバイス１において、頻繁に使用される相対的な角度に対応する第１のパネル２と第２のパネル４間の相対的な角度０°、６０°、１８０°、及び２１５°は、通常の使用のために第１のパネル又は第２のパネルの移動がフォールディングバック命令又はフォールディングホールド命令の入力として認識されることを防止するために有効角度範囲に含まないようにすることが好ましい。
【００６０】
図７は、本発明の実施形態による第１のパネル及び第２のパネルを含むデバイスを示すブロック図である。
【００６１】
図７を参照すると、デバイスは、第１のパネル２と第２のパネル４とを含み、２つのパネルは、ヒンジ６、制御部２０、メモリ３０、入力部５０、角度センサー６０、及びモーションセンサー７０のような構成要素を通して相互に移動可能であるように結合される。
【００６２】
角度センサー６０は、第１のパネル２と第２のパネル４間の相対的な角度を感知するための構成要素であり、ヒンジ６と一体に構成されてもよく、個別の構成要素として構成されてもよい。
【００６３】
入力部５０は、ユーザーの入力を受信し、機能ボタン５及び５’を含む。付加的に、第１のスクリーン１２及び第２のスクリーン１４がタッチスクリーンである場合に、第１のスクリーン１２及び第２のスクリーン１４は、入力部５０に含まれ得る。また、キーボード又はマウスのような個別の入力装置は、入力部５０として含まれ得る。
【００６４】
モーションセンサー７０は、第１のパネル２及び第２のパネル４の動きを感知し、具体的には、第１のパネル２の動きを感知するための第１のパネルモーションセンサー７２及び第２のパネル４の動きを感知するための第２のパネルモーションセンサー７４を含む。第１のパネル動きセンサー７２及び第２のパネル動きセンサー７４は、加速度センサー、ジャイロセンサー、及び／又は振動センサーを含み得る。もちろん、個々の構成要素、すなわち、第１のパネル動きセンサー７２及び第２のパネル動きセンサー７４は、本発明のインターフェース方法の細分化を適用しない場合には備えなくてもよい。
【００６５】
また、角度センサー６０及びモーションセンサー７０は、２つのパネル間の相対的な角度及び２つのパネルの動きのすべてを感知することができる６つの軸センサーとして構成されることもある。
【００６６】
メモリ３０は、フォールディングバック命令又はフォールディングホールド命令が入力される時に実行される機能のマッピングを記憶する。単独命令及び組合せ命令に従う機能が細分化され記憶される。駆動されるアプリケーションにより実行される機能が変わる場合に、駆動されるアプリケーションに従う細分化された機能がマッピングされ記憶される。また、有効角度範囲が複数の有効角度範囲に細分化され実行される機能が変わる場合に、各有効角度範囲に従って細分化された機能がマッピングされ記憶される。さらに、実行される命令がパネルの動きタイプにより変化する場合に、動いたパネルのタイプに従って細分化された機能がマッピングされ記憶される。機能のマッピング及び記憶については、図１１を参照してさらに詳細に後述する。
【００６７】
制御部２０は、デバイスの全動作を制御する。特に、制御部２０は、角度センサー６０及び動きセンサー７０により感知された動き及び角度を認識し、対応する動き及び角度にマッチングされた機能をメモリ３０から読み出し、デバイスが対応する機能を実行するように制御する。
【００６８】
図８は、本発明の実施形態による命令を入力する方法を示すフローチャートである。
【００６９】
図８を参照すると、ステップＳ１０において、制御部２０は、第１のパネル２と第２のパネル４間の相対的な角度での変化を角度センサー６０を通して感知する。ステップＳ２０において、制御部が２つのパネル間の相対的な角度が有効角度範囲（Δα）に入ることを判定する場合に、ステップＳ３０において、制御部２０は、相対的な角度がその進入時点から有効時間内に有効角度範囲への進入方向と反対の方向に有効角度範囲から離脱したか否かを判定する。ステップＳ３０において、相対的な角度がその進入時点から有効時間内に有効角度範囲への進入方向と反対の方向に有効角度範囲から離脱した場合に、ステップＳ４０において、制御部２０は、フォールディングバック命令が入力されることを判定し、デバイスがフォールディングバック命令に対応する機能を実行するように制御する。
【００７０】
しかしながら、ステップ３０において、相対的な角度がその進入時点から有効時間内に有効角度範囲への進入方向と反対の方向に有効角度範囲から離脱しない場合に、ステップＳ５０において、制御部２０は、有効時間の間に２つのパネル間の相対的な角度が有効角度範囲内に保持されるか否かを判定する。ステップＳ５０において、２つのパネル間の相対的な角度が有効時間の間に有効角度範囲内に保持される場合に、ステップＳ６０において、制御部２０は、フォールディングホールド命令が入力されたものと判定し、デバイスがこのフォールディングホールド命令に対応する機能を実行するように制御する。
【００７１】
フォールディングホールド命令が持続的な動作を実行する機能に対応する場合に、ステップＳ９０に示すように、フォールディングホールド命令の中止過程が付加され得る。 
【００７２】
すなわち、ステップＳ７０において、制御部は、２つのパネル間の相対的な角度が有効角度範囲から離脱するか否かを判定する。相対的な角度が有効角度範囲から離脱する場合に、ステップＳ８０において、実行中であるフォールディングホールド命令に従う機能の実行を中止する。この時に、有効角度範囲から離脱する相対的な角度の移動は、進入方向と同一の方向又は進入方向と反対の方向で発生し得る。
【００７３】
ステップＳ５０において、２つのパネル間の相対的な角度が有効時間の間に有効角度範囲内に保持されない場合に、例えば、相対的な角度が有効角度範囲に入った後に、有効時間内に進入方向で継続して移動する場合に、制御部２０は、フォールディングホールド命令が入力されないものと判定する。
【００７４】
図９Ａ乃至図９Ｂは、本発明の実施形態による入力部を通して命令が入力されるか否かに基づいて入力命令を細分化する方法を示すフローチャートである。具体的に、図９Ａは、フォールディングバック命令を細分化する過程を示し、図９Ｂは、フォールディングホールド命令を細分化する過程を示す。
【００７５】
図９Ａを参照すると、例えば、図８のフローチャートに示すように、フォールディングバック命令の要件を満足する場合（すなわち、ステップＳ３０が“ＹＥＳ”に進む場合）に、制御部２０は、ステップＳ３２において、有効時間内にスクリーンのタッチ又は機能ボタンの押しがあるか否かを判定する。ここで、ユーザーによる追加の入力がない場合には、ステップＳ４２において、フォールディングバック単独命令に対応する機能が実行される。しかしながら、ユーザーによる追加の入力がある場合には、ステップＳ４４において、フォールディングバック組合せ命令に対応する機能が実行される。
【００７６】
図９Ｂを参照すると、例えば、図８のフローチャートに示すように、フォールディングホールド命令の要件を満足する場合（すなわち、ステップＳ５０が“ＹＥＳ”に進む場合）に、制御部２０は、ステップＳ５２において、有効時間内にスクリーンのタッチ又は機能ボタンの押しがあるか否かを判定する。ここで、ユーザーによる追加の入力がない場合には、ステップＳ６２において、フォールディングホールド単独命令に対応する機能が実行される。しかしながら、ユーザーによる追加の入力がある場合には、ステップＳ６４において、フォールディングホールド組合せ命令に対応する機能が実行される。
【００７７】
図１０は、本発明の実施形態による移動パネルのタイプに従って入力される命令を細分化する方法を示すフローチャートである。図１０は、本発明の実施形態による移動パネルのタイプに従ってフォールディングバック命令又はフォールディングホールド命令を細分化する過程を示すフローチャートである。
【００７８】
図１０を参照すると、フォールディングバック命令又はフォールディングホールド命令が満足される場合、例えば、図８及び図９のフローチャートに示すように（図８のステップＳ４０及びＳ６０、図９のステップＳ４２、Ｓ４４、Ｓ６２、及びＳ６４）、ステップＳ１００において、制御部２０は、第１のパネル２が移動したか否かを判定する。制御部２０は、第１のパネル２が移動しないものと判定する場合に、ステップＳ１５０において、第２のパネル４だけが移動したものと判定し、第２のパネル４の移動に基づいて細分化された命令に従う機能を実行する。しかしながら、制御部２０は、第１のパネル２が移動したものと判定する場合に、ステップＳ２００において、第２のパネル４がさらに移動したか否かを判定する。制御部２０は、第２のパネル４が移動しないものと判定する場合に、ステップＳ２５０において、第１のパネル２だけが移動したものと判定し、第１のパネル２の移動に基づいて細分化された命令に従う機能を実行する。しかしながら、制御部２０は、ステップＳ２００において、第２のパネル４が移動したものと判定する場合に、ステップＳ３００において、第１のパネル２及び第２のパネル４のすべてが移動したものと判定し、これにより、第１のパネル２及び第２のパネル４の移動に基づいて細分化された命令に従う機能を実行する。
【００７９】
図９及び図１０に示すインターフェース方法の細分化過程は、必要に応じて選択的に適用可能であり、様々な方式で組合せて使用してもよい。例えば、図９では、スクリーンのタッチ又は機能ボタンの押しがあるか否かのみを判定したが、図１０に示す方法との組合せを通して２つのパネルのうちのいずれか１つ以上のパネルに対して、スクリーンのタッチ又は機能ボタンの押しのような追加の入力があるか否かを判定することにより、入力命令をさらに細分化することもある。
【００８０】
図１１は、本発明の実施形態に従って入力される各命令にマッピングする機能を示す図である。
【００８１】
図１１を参照すると、本発明のインターフェース方法は、フォールディングバック命令及びフォールディングホールド命令に区分される。また、フォールディングバック命令は、フォールディングバック単独命令とフォールディングバック組合せ命令とに細分化され、フォールディングホールド命令は、フォールディングホールド単独命令とフォールディングホールド組合せ命令とに細分化される。
【００８２】
また、パネルの移動は、第１のパネルの移動、第２のパネルの移動、及び第１のパネル及び第２のパネルの移動に細分化される。
【００８３】
さらに、有効角度範囲は、必要に応じて複数の有効角度範囲に細分化され、異なる機能は、有効角度範囲ごとにマッピングされ得る。
【００８４】
例えば、スクリーンの拡大／縮小機能、ズームイン／ズームアウト機能、又は電子ブック（e-book）アプリケーションが実行される場合に、ページめくり機能及びブックリスト転換機能のような異なる機能は、有効角度範囲ごとにマッピングされる。
【００８５】
一方、上述した実施形態では、相互に相関関係がある類似した機能が複数の有効角度範囲に従って細分化されることを説明したが、異なる機能は、複数の有効角度範囲にそれぞれマッピングされ得る。
【００８６】
また、図１１に示すような命令及び機能のマッピングは、製造者又はユーザーにより設定され得る。
【００８７】
図１２Ａ乃至図１２Ｃは、本発明の実施形態に従って移動パネルのタイプに基づくフォールディングバック単独命令を示す図である。具体的に、図１２Ａは、フォールディングバック単独命令が第１のパネル２の移動を通して入力される場合を示し、図１２Ｂは、フォールディングバック単独命令が第２のパネル４の移動を通して入力される場合を示し、図１２Ｃは、フォールディングバック単独命令が第１のパネル２及び第２のパネル４の移動を通して入力される場合を示す。
【００８８】
図１２Ａを参照すると、メッセンジャープログラムは、命令入力の前に実行され、第１のパネル２が、相対的な角度θが有効角度範囲Δαに入るように折り畳まれ、相対的な角度が有効角度範囲への進入方向と反対の方向に第１のパネルの移動を通して有効角度範囲から離脱するように有効時間内に広げられる場合に、第１のパネルの移動に基づくフォールディングバック単独命令が入力される。その後に、フォールディングバック単独命令にマッピングされた機能であるタスクマネジャーが実行される。
【００８９】
図１２Ｂを参照すると、メッセンジャープログラムは、命令入力の前に実行され、第２のパネル４が、相対的な角度θが有効角度範囲Δαに入るように折り畳まれ、相対的な角度が有効角度範囲への進入方向と反対の方向に第２のパネルの移動を通して有効角度範囲から離脱するように有効時間内に広げられる場合に、第２のパネルの移動に基づくフォールディングバック単独命令が入力される。その後に、フォールディングバック単独命令にマッピングされた機能であるクリップボード機能が実行される。
【００９０】
図１２Ｃを参照すると、メッセンジャープログラムは、命令入力の前に実行され、第１のパネル２及び第２のパネル４が、相対的な角度θが有効角度範囲Δαに入るように折り畳まれ、相対的な角度が有効角度範囲への進入方向と反対の方向に第１のパネル及び第２のパネルの移動を通して有効角度範囲から離脱するように有効時間内に広げられる場合に、第１のパネル及び第２のパネルの移動に基づくフォールディングバック単独命令が入力される。その後に、現在のスクリーンをイメージとしてピクチャギャラリーに記憶しつつ、フォールディングバック単独命令にマッピングされた機能であるスクリーンキャプチャー機能が実行される。
【００９１】
図１３Ａ乃至図１３Ｃは、本発明の実施形態に従って移動パネルのタイプに基づくフォールディングバック組合せ命令の動作例を示す図である。具体的には、図１３Ａは、フォールディングバック組合せ命令が第１のパネル２の移動を通して入力される場合に動作される機能を示し、図１３Ｂは、フォールディングバック組合せ命令が第２のパネル４の移動を通して入力される場合に動作される機能を示し、図１３Ｃは、フォールディングバック組合せ命令が第１のパネル２及び第２のパネル４の移動を通して入力される場合に動作される機能を示し、その機能は、複数の有効角度範囲に従って細分化される。
【００９２】
図１３Ａを参照すると、命令入力の前に、多くのアプリケーションが同時にマルチタスキングを通して実行され、メッセンジャープログラムが起動される。このような状態において、第１のパネル２が、相対的な角度θが有効角度範囲Δαに進入するように折り畳まれ、相対的な角度が有効角度範囲への進入方向と反対の方向に有効角度範囲から離脱するように有効時間内に広げられる場合に、第１のパネル１２の移動に基づくフォールディングバック組合せ命令が入力され、有効時間内にスクリーンがタッチされるか又は機能ボタン５又は５’が押される。この場合に、メッセンジャープログラムが終了され、このメッセンジャープログラムが実行される前に実行されたタスクであるウェブブラウザが表示される。
【００９３】
図１３Ｂを参照すると、命令が入力される前にメッセンジャープログラムが実行される。ユーザーが、すなわちペースト、クリップボードに前にコピーされた内容である「ご連絡願います（Call me Please）〜！！」をメッセンジャープログラムに入力することを希望する場合に、第２のパネル４が、相対的な角度θが有効角度範囲Δαに進入するように折り畳まれ、相対的な角度が有効角度範囲への進入方向と反対の方向に有効角度範囲から離脱するように有効時間内に広げられ、有効時間内にスクリーンがタッチされるか又は機能ボタン５又は５’が押されると、第２のパネル４の移動に基づくフォールディングバック組合せ命令が入力され、メッセージ「ご連絡願います〜！！」がメッセンジャープログラムにテキストを入力する位置８０に自動で入力される。
【００９４】
図１３Ｃを参照すると、現在駆動されたアプリケーションを通して写真が写真ギャラリーとして画面上にディスプレーされる場合に、第１のパネル２及び第２のパネル４が、相対的な角度θが複数の有効角度範囲のうちで有効角度範囲Δα１に入るように折り畳まれ、相対的な角度が有効角度範囲への進入方向と反対の方向に第１のパネル及び第２のパネルの移動を通して有効角度範囲から離脱するように有効時間内に広げられ、有効時間内にスクリーンがタッチされるか又は機能ボタン５又は５’が押されると、第１のパネル２及び第２のパネル４の移動に基づくフォールディングバック組合せ命令が入力され、現在見られるスクリーンを２倍に拡大する機能が実行される（図１３Ｃの（ｉ））。
【００９５】
ユーザーが現在の画面を４倍に拡大することを希望する場合には、第１のパネル２及び第２のパネル４が、相対的な角度θが有効角度範囲Δα２に入るように折り畳まれ、相対的な角度が有効角度範囲への進入方向と反対の方向に第１のパネル及び第２のパネルの移動を通して有効角度範囲から離脱するように有効時間内に広げられ、有効時間内にスクリーンがタッチされるか又は機能ボタン５又は５’が押されると、スクリーンを４倍に拡大する機能が実行される（図１３Ｃの（ｉｉ））。
【００９６】
また、ユーザーが現在のスクリーンを１／２倍に縮小することを希望する場合には、第１のパネル２及び第２のパネル４が、相対的な角度θが有効角度範囲−Δα１に入るように折り畳まれ、相対的な角度が有効角度範囲への進入方向と反対の方向に第１のパネル及び第２のパネルの移動に基づいて有効角度範囲から離脱するように有効時間内に広げられ、有効時間内にスクリーンがタッチされるか又は機能ボタン５又は５’が押されると、スクリーンを１／２倍に縮小させる機能が実行される（図１３Ｃの（ｉｉｉ））。
【００９７】
さらに、必要に応じて、さらに多い複数の有効角度範囲に細分化することにより、６倍、８倍、又はそれ以上の拡大／縮小も可能である。
【００９８】
図１４Ａ乃至図１４Ｃは、本発明の実施形態に従って移動パネルのタイプに基づくフォールディングホールド単独命令の動作例を示す図である。具体的には、図１４Ａは、フォールディングホールド単独命令が第１のパネル２の移動を通して入力される場合を示し、図１４Ｂは、フォールディングホールド単独命令が第２のパネル４の移動を通して入力される場合を示し、図１４Ｃは、フォールディングホールド単独命令が第１のパネル２及び第２のパネル４の移動を通して入力される場合を示す。
【００９９】
図１４Ａを参照すると、命令入力の前に、多くのアプリケーションがマルチタスキングで同時に実行され、ウェブブラウザプログラムが起動される。このような状態で、相対的な角度θが有効角度範囲Δαに入るように第１のパネル２が折り畳まれた後に有効時間の間に保持される場合に、第１のパネルの移動に基づくフォールディングホールド単独命令が入力される。この場合に、現在アクティブされ実行中であるウェブブラウザプログラムは非活性化されるが、終了されず、ウェブブラウザの前に実行されたアプリケーションは、順次に継続して変更される。他方、順次に変更されたこのアプリケーションのうちで所望するアプリケーションが起動される場合に、相対的な角度θが有効角度範囲から離脱するように第１のパネル２及び／又は第２のパネル４が移動する時に、所望するアプリケーションが選択される。
【０１００】
図１４Ｂを参照すると、現在実行されているアプリケーションが電子ブックである場合に、相対的な角度θが有効角度範囲Δαに入り、第２のパネル４が折り畳まれた後に有効時間の間にその状態に保持されると、現在のページから次のページまでページを連続してめくる機能が実行される。その後に、ユーザーが連続的にめくられたページの中で希望するページに到達した場合に、相対的な角度θが有効角度範囲から離脱するように第１のパネル２及び／又は第２のパネル４が移動する時に、所望するページが選択される。
【０１０１】
図１４Ｂには図示していないが、第１のパネル及び第２のパネルの移動に基づくフォールディングバック組合せ命令（例えば、図１３Ｃを参照）と同様に、ページをめくる機能に対して有効角度範囲を複数の有効角度範囲に細分化することが可能である。すなわち、図１１にマッピングされるように、有効角度範囲をΔα１、Δα２、−Δα１、−Δα２に細分化し、有効角度範囲がΔα１である場合に後側に１倍速ページめくり機能が実行され、有効角度範囲がΔα２である場合に後側に２倍速ページめくり機能が実行され、有効角度範囲が−Δα１である場合に前側に１倍速ページめくり機能が実行され、有効角度範囲が−Δα２である場合に前側に２倍速ページめくり機能が実行される。
【０１０２】
図１４Ｃを参照すると、現在のウェブブラウザプログラムの実行を通してウェブページ画面が表示される場合に、相対的な角度θが有効角度範囲Δαに進入するように第１のパネル２及び第２のパネル４が折り畳まれた後に、そのような状態が有効時間の間に保持されると、第１のパネル２及び第２のパネル４の移動に基づくフォールディングホールド単独命令が入力される。すると、現在見られる画面が連続してズームイン（Zoom-In）された後に拡大される。その後に、連続したズーム状態でユーザーが希望する適切に拡大した画面がディスプレーされる場合に、相対的な角度θが有効角度範囲から離脱するように第１のパネル２及び／又は第２のパネル４が移動されると、拡大したサイズを有する選択されたウェブページが表示される。
【０１０３】
図１４Ｃには図示していないが、第１のパネル及び第２のパネルの移動によるフォールディングバック組合せ命令（例えば、図１３Ｃを参照）と同様に、ズームイン／ズームアウト機能に対して有効角度範囲を複数の有効角度範囲に細分化することが可能である。すなわち、図１１にマッピングされるように、有効角度範囲をΔα１、Δα２、−Δα１、−Δα２に細分化し、有効角度範囲がΔα１である場合に１倍速ズームイン機能が実行され、有効角度範囲がΔα２である場合に２倍速ズームイン機能が実行され、有効角度範囲が−Δα１である場合に１倍速ズームアウト機能が実行され、有効角度範囲が−Δα２である場合に２倍速ズームアウト機能が実行される。
【０１０４】
図１５Ａ乃至図１５Ｃは、本発明の実施形態に従って移動パネルのタイプに基づくフォールディングホールド組合せ命令の動作例を示す図である。具体的に、図１５Ａは、フォールディングホールド組合せ命令が第１のパネル２の移動を通して入力される場合を示し、図１５Ｂは、フォールディングホールド組合せ命令が第２のパネル４の移動を通して入力される場合を示し、図１５Ｃは、フォールディングホールド組合せ命令が第１のパネル２及び第２のパネル４の移動を通して入力される場合を示す。
【０１０５】
図１５Ａを参照すると、現在実行されているアプリケーションが電子ブックである場合に、相対的な角度θが有効角度範囲Δαに入るように第１のパネル２が折り畳まれた後に、そのような状態が有効時間の間に保持され、有効時間内にスクリーンがタッチされるか又は機能ボタン５又は５’が押されると、現在のページを含む本のチャプターを次のチャプターに転換する機能が実行される。
【０１０６】
一方、１回の動作が実行されるものと説明されたが、継続して次のチャプターに転換することができ、所望するチャプターに到達した場合に、相対的な角度θが有効角度範囲から離脱するように第１のパネル２及び／又は第２のパネル４が移動されると、対応するチャプターが選択されるように構成することも可能である。
【０１０７】
また、図面には図示していないが、第１のパネル及び第２のパネルの移動に基づくフォールディングバック組合せ命令（例えば、図１３Ｃを参照）と同様に、チャプター転換機能に対して有効角度範囲を複数の有効角度範囲に細分化することが可能である。すなわち、図１１にマッピングされるように、有効角度範囲をΔα１及び−Δα１に細分化し、有効角度範囲がΔα１である場合にチャプターを次のチャプターに転換する機能が実行され、有効角度範囲が−Δα１である場合にチャプターを前のチャプターに転換する機能が実行される。
【０１０８】
図１５Ｂを参照すると、現在実行されているアプリケーションが電子ブックである場合に、相対的な角度θが有効角度範囲Δαに入るように第２のパネル４が折り畳まれた後に、そのような状態が有効時間の間に保持され、有効時間内にスクリーンがタッチされるか又は機能ボタン５又は５’が押されると、詳細なページを選択することができる機能が実行される。すなわち、図１５Ｂに示すように、ページを指示するライン及びページを示すポップアップウインドウが表示され、ページ指示ラインを左右方向にドラッグ（drag）することにより所望するページに直接に移動することができる。
【０１０９】
図１５Ｃを参照すると、現在駆動されているアプリケーションが電子ブックである場合に、相対的な角度θが有効角度範囲Δαに入るように第１のパネル２及び第２のパネルが折り畳まれた後に、そのような状態が有効時間の間に保持され、有効時間内にスクリーンがタッチされるか又は機能ボタン５又は５’が押されると、ブックリストに含まれている現在の本を次の本に転換する機能が実行される。すなわち、図１５Ｃに示すように、本“リトルプリンセス（Little Prince）”及び“アリス（Alice）”がブックリストにリストアップされ、現在読んでいる本が“リトルプリンセス（Little Prince）”である場合に、ブックリスト上の次の本である“アリス”に転換されるように機能が実行される。
【０１１０】
一方、図１５Ｃには図示していないが、第１のパネル及び第２のパネルの移動に基づくフォールディングバック組合せ命令（例えば、図１３Ｃを参照）と同様に、本転換機能に対して有効角度範囲を複数の有効角度範囲に細分化することが可能である。すなわち、図１１にマッピングされるように、有効角度範囲をΔα１及び−Δα１に細分化し、有効角度範囲がΔα１である場合に、本をブックリスト内の次の本に転換する機能が実行され、有効角度範囲が−Δα１である場合に本をブックリスト内の前の本に転換する機能が実行される。
【０１１１】
図１６は、本発明の実施形態に従って入力される命令にマッピングする機能を示す図である。
【０１１２】
図１６を参照すると、フォールディングホールド単独命令が第２のパネルの移動を通して入力される場合に、例えば、現在駆動されているアプリケーションがメディアプレーヤーである場合に、再生関連機能が実行される。具体的には、有効角度範囲をΔα１、Δα２、−Δα１、−Δα２に細分化し、有効角度範囲がΔα１である場合に２倍速早送り機能が実行され、有効角度範囲がΔα２である場合に４倍速早送り機能が実行され、有効角度範囲が−Δα１である場合に２倍速巻戻し機能が実行され、有効角度範囲が−Δα２である場合に４倍速巻戻し機能が実行される。ここで、複数の有効角度範囲を説明したが、１つの有効角度範囲だけを設定できることは容易にわかる。
【０１１３】
また、上述したような同様の方式で、ユーザーが早送り機能又は巻戻し機能の中止を希望する場合には、相対的な角度が有効角度範囲から離脱するように第１のパネル２及び／又は第２のパネル４が移動されると、命令入力の前の元来の状態に戻るように構成することができる。
【０１１４】
フォールディングホールド組合せ命令が第２のパネルの移動を通して入力される場合に、例えば、現在駆動されているアプリケーションがメディアプレーヤーである場合に、メディアプレーヤーのチャネル／リストを示す機能が実行される。
【０１１５】
フォールディングホールド組合せ命令が第１のパネルの移動を通して入力される場合に、例えば、現在駆動されているアプリケーションがウェブブラウザである場合に、ヒストリー（広げられたページ）を示す機能が実行される。
【０１１６】
また、フォールディングホールド組合せ命令が第１のパネル及び第２のパネルの移動を通して入力される場合に、例えば、現在駆動されているアプリケーションがウェブブラウザである場合に、ブックマーク（お気に入り）を示す機能が実行される。
【０１１７】
図１６は、マッピングされた機能が駆動されているアプリケーションに基づいて変わることを示し、この機能は図１１に示したマッピングされた機能と置き換えられない。すなわち、図１１は、特定のアプリケーション、すなわち、電子ブックが駆動されている場合にマッピングされることができる機能を示すのに対して、図１６は、電子ブックアプリケーション以外の他のアプリケーションが駆動される場合にマッピングされることができる機能を示す。
【０１１８】
したがって、図１１の電子ブックアプリケーションに対応するマッピングされた機能が図１６のウェブブラウザ又はビデオプレーヤーアプリケーションに対応するマッピングされた機能と置き換えられないが、これらは、互換性を有することをわかる。すなわち、同一の第２のパネルによるフォールディングホールド単独命令が入力される時に、駆動されたアプリケーションが電子ブックである場合に図１１のページめくり効果機能が実行され、駆動されたアプリケーションがメディアプレーヤーである場合に図１６の早送り機能又は巻戻し機能が実行される。
【０１１９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１２０】
１  デバイス
２  第１のパネル
４  第２のパネル
５  機能ボタン
５‘  機能ボタン
６  ヒンジ
１２  第１のスクリーン
１４  第２のスクリーン
【図１】
2014505315.tif 000003
【図２Ａ】
2014505315.tif 000004
【図２Ｂ】
2014505315.tif 000005
【図２Ｃ】
2014505315.tif 000006
【図２Ｄ】
2014505315.tif 000007
【図３】
2014505315.tif 000008
【図４】
2014505315.tif 000009
【図５Ａ】
2014505315.tif 000010
【図５Ｂ】
2014505315.tif 000011
【図５Ｃ】
2014505315.tif 000012
【図６】
2014505315.tif 000013
【図７】
2014505315.tif 000014
【図８】
2014505315.tif 000015
【図９Ａ】
2014505315.tif 000016
【図９Ｂ】
2014505315.tif 000017
【図１０】
2014505315.tif 000018
【図１１】
2014505315.tif 000019
【図１２Ａ】
2014505315.tif 000020
【図１２Ｂ】
2014505315.tif 000021
【図１２Ｃ】
2014505315.tif 000022
【図１３Ａ】
2014505315.tif 000023
【図１３Ｂ】
2014505315.tif 000024
【図１３Ｃ】
2014505315.tif 000025
【図１４Ａ】
2014505315.tif 000026
【図１４Ｂ】
2014505315.tif 000027
【図１４Ｃ】
2014505315.tif 000028
【図１５Ａ】
2014505315.tif 000029
【図１５Ｂ】
2014505315.tif 000030
【図１５Ｃ】
2014505315.tif 000031
【図１６】
2014505315.tif 000032
【国際調査報告】
2014505315.tif 000033
2014505315.tif 000034